(57)【要約】【課題】包装箱の内側の余白部分を最大限活用して各種の情報を提供することが可能な情報提供用包装箱を提供する。【解決手段】箱本体１０と蓋体２０とが１枚の台紙Ｐにて折りたたみ形成される。蓋体２０に開封フラップ２２を設ける。該開封フラップ２２に蓋体２０を開封する開封用ジッパー２３を設ける。箱本体１０の前側板１４を左右側板１２,１３から分離して形成する。開封用ジッパー２３を切り離すと包装箱が展開するように設ける。展開した台紙Ｐの内側に予め表示した情報が提示されるように構成する。【選択図】  図１
0003225838.tif 000002
【実用新案登録請求の範囲】
【請求項１】
箱本体と蓋体とが１枚の台紙にて折りたたみ形成され、箱本体は、底板の周囲に左右側板と前後側板とを備え、蓋体は、天板と該天板の一側縁から延長された開封フラップとを備え、該開封フラップは、箱本体の前側板の表面に接着する接着部と該接着部を残して前側板から切り離される開封用ジッパーとが設けられた包装箱において、前記前側板を前記左右側板から分離して形成し、前記開封用ジッパーが切り離されたときに前記包装箱が前記台紙の状態に展開すると共に、展開した前記台紙の内側に予め表示した情報が提示されることを特徴とする情報提供用包装箱。
【請求項２】
前記開封用ジッパーは、開封時に先端部から後端部にかけて末広がり状を成す開口縁部が形成されると共に、該開口縁部に沿って切込みと接続部とが交互に形成され、該切込みは開口縁部に沿って形成され、該切込みの先端部に開口縁部の内側に向けて屈曲した緩衝用切込みを連続形成した請求項１記載の情報提供用包装箱。
【請求項３】
前記開封用ジッパーの先端部に摘み片を形成し、該摘み片に屈曲自在な折目線を設けると共に、摘み片の前記開口縁部に沿って前記接続部と前記緩衝用切込みとを配置した請求項２記載の情報提供用包装箱。
【請求項４】
前記左右側板に左右重合片を形成し、該左右重合片を前記天板にそれぞれ重なるように構成すると共に、該左右重合片のいずれか一方又は両方に、前記天板側に突出する係止爪片を形成し、該係止爪片を設けた前記左右側板のいずれか一方を箱本体の底部とする請求項１記載の情報提供用包装箱。
【考案の詳細な説明】
【技術分野】
【０００１】
本考案は、包装箱の内側の余白を利用してより多くの情報を提供することができる情報提供用包装箱に関するものである。
【背景技術】
【０００２】
包装箱の外側に製造販売元や原材料等を記載し、包装箱の外側に記載できない情報を表示した説明書き等を同封することは一般的な技術である。仮に、包装箱の内側の余白を利用して説明書き等の情報提供が可能になると、説明書き等の同封を不要にすることができる。
【０００３】
例えば、包装箱の内側の余白を情報提供に利用した構成として、特許文献１に記載の紙製蓋付き容器が提案されている。この包装箱では、開閉蓋の外側に星座名を記載し、開閉蓋の内側に星座に関する運勢を記載したものである。そして、この開閉蓋を開閉することで、星占いに関する情報を提供する構成である。
【０００４】
特許文献１の包装箱では蓋体を情報提供に利用しているが、包装箱の箱本体を利用して情報を提供する場合、箱本体の内側の情報が見易いように包装箱の箱本体が簡単に展開するように構成する必要がある。
【０００５】
包装箱が簡単に開く従来の構成として、包装箱の蓋体をワンタッチで開封する開封用ジッパーを備えた包装用紙箱が特許文献２に記載されている。この開封用ジッパーは、接続部と切目とが交互に形成されたミシン目状を成すもので、この開封用ジッパーに沿って接続部を切り離すことで包装箱の蓋体が箱本体から離れてワンタッチで開口するように構成したものである。
【０００６】
この特許文献２の包装箱は、開封後も包装箱として使用することから、この開封用ジッパーを切り離す際に、包装箱が破損しないように工夫されている。すなわち、開封用ジッパーの先端部側よりも後端部側の接続部のピッチを短くしている。このようなピッチの変更で、開封用ジッパーを切り離す際に包装箱が破損しないというものである。
【先行技術文献】
【特許文献】
【０００７】
【特許文献１】実用新案登録第３００４１５６号公報
【特許文献２】実用新案登録第３０１００３８号公報
【考案の概要】
【考案が解決しようとする課題】
【０００８】
特許文献１の包装箱は、特に、開閉蓋の両面を情報提供に利用する構成である。ところが、包装箱には蓋体の他に、箱本体の内側にも多くの余白がある。しかしながら、特許文献１の箱本体は、蓋体を開けた後も箱本体として使用するので常に立体形状を維持している。そのため、仮に、この箱本体の内側に情報を示したとしても極めて見難い状態にならざるを得ない。したがって、特許文献１の包装箱は、箱本体の余白を十分に利用できる構成ではなかった。
【０００９】
一方、特許文献２の包装箱においても、開封後の箱本体を使用するので箱本体は常に立体形状を維持する構成になっている。そのため、仮に箱本体の内側の余白を利用して情報を示したとしても、前述の紙製蓋付き容器と同様に極めて見難い状態にならざるを得ない。
【００１０】
しかも、特許文献２の包装箱では、開封用ジッパーを切り離す際に、他の部位まで破損しないようするため、開封用ジッパーの先端部側よりも後端部側の接続部のピッチを短く形成したものである。そのため、開封用ジッパーの切目の数が多くなり、この切目によるによるミシン目状の構成が極めて目立つ構成になっている。
【００１１】
この結果、例えばイメージを大切にする化粧品などの包装箱として使用する際に、この開封用ジッパーの目立つ構成が商品イメージに適合せず、包装用紙箱の利用が困難になる場合も想定される。したがって、特許文献２の包装用紙箱は、食品等を収納する紙箱に特定されるなど、使用用途が限定される不都合があった。
【００１２】
そこで、本考案は上述の課題を解消すべく案出されたもので、包装箱の蓋体や箱本体の内側の余白部分を最大限活用して商品等に関する各種の情報を提供することが可能になり、しかも、化粧品等のイメージを損ねることなく用途を拡大することが可能な情報提供用包装箱の提供を目的とするものである。
【課題を解決するための手段】
【００１３】
上述の目的を達成すべく本考案における第１の手段は、箱本体１０と蓋体２０とが１枚の台紙Ｐにて折りたたみ形成され、箱本体１０は、底板１１の周囲に左右側板１３,１２と前後側板１４,１５とを備え、蓋体２０は、天板２１と該天板２１の一側縁から延長された開封フラップ２２とを備え、該開封フラップ２２は、箱本体１０の前側板１４の表面に接着する接着部２２Ｃと該接着部２２Ｃを残して前側板１４から切り離される開封用ジッパー２３とが設けられた包装箱において、
前記前側板１４を前記左右側板１２,１３から分離して形成し、前記開封用ジッパー２３が切り離されたときに前記包装箱が前記台紙Ｐの状態に展開すると共に、展開した前記台紙Ｐの内側に予め表示した情報Ｑが提示されることにある。
【００１４】
第２の手段において、前記開封用ジッパー２３は、開封時に先端部から後端部にかけて末広がり状を成す開口縁部２３Ａが形成されると共に、該開口縁部２３Ａに沿って切込み２３Ｂと接続部２３Ｃとが交互に形成され、
該切込み２３Ｂは開口縁部２３Ａに沿って形成され、該切込み２３Ｂの先端部に開口縁部２３Ａの内側に向けて屈曲した緩衝用切込み２３Ｄを連続形成したものである。
【００１５】
第３の手段は、前記開封用ジッパー２３の先端部に摘み片２４を形成し、該摘み片２４に屈曲自在な折目線２４Ａを設けると共に、摘み片２４の前記開口縁部２３Ａに沿って前記接続部２３Ｃと前記緩衝用切込み２３Ｄとを配置している。
【００１６】
第４の手段は、前記左右側板１３,１２に左右重合片１３Ａ,１２Ａを形成し、該左右重合片１３Ａ,１２Ａを前記天板２１にそれぞれ重なるように構成すると共に、該左右重合片１３Ａ,１２Ａのいずれか一方又は両方に、前記天板２１側に突出する係止爪片１６を形成し、該係止爪片１６を設けた前記左右側板１３,１２のいずれか一方を箱本体の底部とするものである。
【考案の効果】
【００１７】
本考案の請求項１により、前側板１４を左右側板１２,１３から分離して形成し、開封用ジッパー２３が切り離されたときに包装箱が台紙Ｐの状態に展開すると共に、展開した台紙Ｐの内側に予め表示した情報Ｑが提示されるので、包装箱の内側の余白部分を最大限活用して各種の情報を提供することが可能になった。しかも、前側板１４は左右側板１２,１３から分離して形成しているので、開封用ジッパー２３開封後は包装箱が簡単に展開して元の台紙Ｐの状態に戻るので、台紙Ｐの内側に予め表示されている情報Ｑが極めて判読し易くなる。
【００１８】
請求項２のように、開封用ジッパー２３は、開封時に先端部から後端部にかけて末広がり状を成す開口縁部２３Ａが形成されると共に、該開口縁部２３Ａに沿って切込み２３Ｂと接続部２３Ｃとが交互に形成され、該切込み２３Ｂは開口縁部２３Ａに沿って形成され、該切込み２３Ｂの先端部に開口縁部２３Ａの内側に向けて屈曲した緩衝用切込み２３Ｄを連続形成しているので、開封用ジッパー２３の切込み２３Ｂの数が少なくても緩衝用切込み２３Ｄの作用で他の部位を損傷させずに開封用ジッパー２３を開封することができる。この結果、開封用ジッパー２３の切込み２３Ｂによるミシン目状の構成が目立ってしまう従来の不都合は解消され、例えば化粧品のようなイメージを大切にする商品等でも収納することが可能になった。
【００１９】
請求項３のごとく、開封用ジッパー２３の先端部に摘み片２４を形成し、該摘み片２４に屈曲自在な折目線２４Ａを設けると共に、摘み片２４の開口縁部２３Ａに沿って接続部２３Ｃと緩衝用切込み２３Ｄとを配置しているので、開封用ジッパー２３を開封する操作により、最初にこの摘み片２４が切り離され、その後、残りの開封用ジッパー２３が開封するという２段階で開封されることになる。この結果、開封用ジッパー２３の開封作業を誰でも容易に、且つ確実に行うことができる。
【００２０】
請求項４のように、左右側板１３,１２に左右重合片１３Ａ,１２Ａを形成し、該左右重合片１３Ａ,１２Ａを前記天板２１にそれぞれ重なるように構成すると共に、該左右重合片１３Ａ,１２Ａのいずれか一方又は両方に、前記天板２１側に突出する係止爪片１６を形成し、該係止爪片１６を設けた前記左右側板１３,１２のいずれか一方を箱本体の底部とするものであるから、開封用ジッパー２３を開封する前に、一般的な包装箱として使用することが可能になる。したがって、包装箱の用途を更に広げることが可能になる。
【図面の簡単な説明】
【００２１】
【図１】本考案の台紙を示す展開図である。
【図２】本考案の折りたたむ状態を示す斜視図である。
【図３】本考案の開封フラップを前側板に接着した状態を示す斜視図である。
【図４】本考案の包装箱が完成した状態を示す斜視図である。
【図５】本考案の包装箱の摘み片を切り離した状態を示す斜視図である。
【図６】本考案の開封用ジッパーを開封した状態を示す斜視図である。
【図７】本考案の蓋体を箱本体から開いた状態を示す斜視図である。
【図８】本考案の包装箱を展開する状態を示す斜視図である。
【図９】本考案の包装箱が展開して内側の情報が提示された平面図である。
【図１０】本考案の包装箱の他の実施例を示す斜視図である。
【考案を実施するための形態】
【００２２】
本考案は、包装箱の内側の余白を利用して各種情報を提供することができるように構成した包装箱であり、１枚の台紙Ｐにて箱本体１０と蓋体２０とが折りたたみ形成される。この台紙Ｐの内側には予め情報Ｑが表示されており、包装箱を展開すると包装箱が元の台紙Ｐの状態に開き、情報Ｑを判読できるように構成したものである。
【００２３】
箱本体１０は、底板１１の周囲に右側板１２、左側板１３と前側板１４、後側板１５とを備えている（図１参照）。図示例では説明の便宜上、台紙Ｐ上の箱本体１０の下端側を箱本体１０の前側とし、台紙Ｐに向かって左側を箱本体１０の右側とし、台紙Ｐに向かって右側を箱本体１０の左側として説明している。
【００２４】
本考案では、特に、前側板１４を左右側板１３,１２から分離して形成している（図１参照）。そして、右側板１２に右重合片１２Ａを連続形成し、左側板１３に左重合片１３Ａを連続形成している。さらに、後側板１５に右折込み片１５Ａと左折込み片１５Ｂとを連続形成したものである。
【００２５】
蓋体２０は、箱本体１０の後側板１５から延長された部位で、天板２１と該天板２１の一側縁から延長された開封フラップ２２とを備えたものである（図１参照）。図示例では、説明の便宜上、台紙Ｐ上の蓋体２０の上端側を先端側として説明している。そして、蓋体２０の先端側に形成された開封フラップ２２の接着部２２Ｃと、箱本体１０の前側板１４の接着部１４Ａとが接着されるものである（図２、図３参照）。
【００２６】
さらに、開封フラップ２２には、開封用ジッパー２３が設けられており、この開封フラップ２２を開封すると、前側板１４に接着した部分を残して開封フラップ２２が開封用ジッパー２３に沿って切り離される（図７参照）。図示例では、この開封フラップ２２に右折込み片２２Ａと左折込み片２２Ｂとを連続形成したものである（図２参照）。
【００２７】
開封用ジッパー２３は、開封時に先端部から後端部にかけて末広がり状を成す開口縁部２３Ａが形成される（図６参照）。そして、この開口縁部２３Ａに沿って切込み２３Ｂと接続部２３Ｃとが交互に形成されているものである（図４参照）。
【００２８】
この切込み２３Ｂの先端部に、開口縁部２３Ａの内側に向けて屈曲した緩衝用切込み２３Ｄを連続形成している（図４参照）。このように構成すると、開封用ジッパー２３の接続部２３Ｃが切り離されたときの負荷が緩衝用切込み２３Ｄに伝わるので、他の部位まで切り離すおそれがなくなる。
【００２９】
さらに、開封用ジッパー２３の先端部に摘み片２４を形成している。そして、この摘み片２４に屈曲自在な折目線２４Ａを設けることで、開封用ジッパー２３を開封する際に、最初にこの摘み片２４から開封するように設けている（図５参照）。また、この摘み片２４の開口縁部２３Ａに沿って、接続部２３Ｃと緩衝用切込み２３Ｄとを配置している。したがって、この摘み片２４を切り離す際にも、緩衝用切込み２３Ｄから切込み２３Ｂが切り離されるものになっている（図３参照）。
【００３０】
本考案包装箱を開封するには、最初に摘み片２４をつまんで折目線２４Ａまで開封用ジッパー２３を切り離す（図５参照）。続いて、残りの開封用ジッパー２３を最後まで切り離すと、開封フラップ２２が開封用ジッパー２３の開口縁部２３Ａに沿って開口する（図６参照）。そうすると、開口した開封フラップ２２は前側板１４から離れ、天板２１と共に蓋体２０が開口する（図７参照）。また、箱本体１０においても、左右側板１３、１２や前後前側板１４、１５が展開することになる（図８参照）。そして、最終的に元の台紙Ｐの状態に展開すると、台紙Ｐの内側に表示していた情報Ｑが全面的に提示され、極めて読みやすい状態になる（図９参照）。
【００３１】
図１０は、本考案の他の使用例を示している。すなわち、左右重合片１３Ａ,１２Ａのいずれか一方又は両方に、前記天板２１側に突出する係止爪片１６を形成するものである。そして、この係止爪片１６を設けた左右側板１３,１２のいずれか一方（図示例では左側板１３）を箱本体の底部として使用するものである。この場合、開封用ジッパー２３は開封されずに包装箱として使用され、情報Ｑを見るときに開封用ジッパー２３が開封されるものである。
【００３２】
尚、本考案の構成は図示例に限られるものではなく、本考案の要旨を変更しない範囲での設計変更は自由に行えるものである。
【符号の説明】
【００３３】
Ｐ  台紙
Ｑ  情報
１０  箱本体
１１  底板
１２  右側板
１２Ａ  右重合片
１３  左側板
１３Ａ  左重合片
１４  前側板
１４Ａ  接着部
１５  後側板
１５Ａ  右折込み片
１５Ｂ  左折込み片
１６  係止爪片
２０  蓋体
２１  天板
２２  開封フラップ
２２Ａ  右折込み片
２２Ｂ  左折込み片
２２Ｃ  接着部
２３  開封用ジッパー
２３Ａ  開口縁部
２３Ｂ  切込み
２３Ｃ  接続部
２３Ｄ  緩衝用切込み
２４  摘み片
２４Ａ  折目線
【図１】
0003225838.tif 000003
【図２】
0003225838.tif 000004
【図３】
0003225838.tif 000005
【図４】
0003225838.tif 000006
【図５】
0003225838.tif 000007
【図６】
0003225838.tif 000008
【図７】
0003225838.tif 000009
【図８】
0003225838.tif 000010
【図９】
0003225838.tif 000011
【図１０】
0003225838.tif 000012